(57)【要約】【課題】園芸用又は農業用シート材を容易に回収できるようにしたシート材固定具を提供する。【解決手段】シート材固定具１は、農業用又は園芸用シート材５を固定するシート材固定具１であって、頭部２と、頭部２から下方に延び、下端部を先鋭状にした差込み部３と、頭部２と差込み部３の間に、括れ状であり、頭部２を断つことができる切断部４と、を備えたことを特徴とし、頭部２の側面に、放物線状に垂れ下がり、下端部を先鋭状にした補助差込み部６を備えたり、差込み部３の側面に、螺旋状に下り傾斜しながら外方に張り出す突起部７を備えたりすることができる。【選択図】図４
2018148814.tif 000002
【特許請求の範囲】
【請求項１】
農業用又は園芸用シート材を固定するシート材固定具であって、頭部と、該頭部から下方に延び、下端部を先鋭状にした差込み部と、該頭部と該差込み部との間に、括れ状であり、該頭部を断つことができる切断部と、を備えたシート材固定具。
【請求項２】
該頭部の側面に、放物線状に垂れ下がり、下端部を先鋭状にした補助差込み部を備えた請求項1に記載のシート材固定具。
【請求項３】
該差込み部の側面に、螺旋状に下り傾斜しながら外方に張り出す突起部を備えた請求項１又は２に記載のシート材固定具。
【請求項４】
生分解性樹脂からなる請求項１〜３のいずれかに記載のシート材固定具。
【発明の詳細な説明】
【技術分野】
【０００１】
本発明は、農場などにおいて園芸用又は農業用シート材を固定するために用いるシート材固定具に関する。
【背景技術】
【０００２】
作物を栽培するにあたり、土壌の乾燥や雑草の発生などを防ぐため、ビニルなどからなる園芸用又は農業用シート材で地面を覆うことが行われている。このシート材は風などで吹き飛ばされないように、例えば、棒状のシート材固定具をシート材の縁部に突き刺し地面に打ち込んで固定されている。
【０００３】
このようなシート材固定具の従来例としては、園芸用又は農業用のシート材を固定する下端部側を二股状に形成した固定部材と、固定部材の上端部に装着でき、該上端部の周囲を覆う筒状又は該上端部に被せるキャップ状に形成した装着部材とを備えたシート材固定具が開発されており、ハンマーなどで叩いても上端部（頭部）が割れたり、潰れたりしにくいようにしてある（下記特許文献１参照）。
【０００４】
また、他の例としては、生分解性を備えたマルチング材に適用されるマルチング材用の押止め杭（シート材固定具に相当）であって、先端が尖った杭本体と、この杭本体の基端部に一体に設けられた杭本体の断面形状より大きい頭部とから構成され、これら杭本体と頭部とはいずれも生分解性を有する熱可塑性のプラスチックで形成されていることを特徴とするマルチング材用の押止め杭が開発されており、マルチング材として黄麻製のシートが使用されたような場合、このマルチング材の生分解と歩調を合わせて生分解することができるようにしてある（下記特許文献２参照）。
【０００５】
【特許文献１】実用新案登録第３１９９５９５号公報
【特許文献２】特開２０１４−９７０６４号公報
【発明の概要】
【発明が解決しようとする課題】
【０００６】
上記特許文献２に記載のシート材固定具は、園芸用又は農業用シート材とともに生分解するようにしてあるため放置してもよいが、生分解するには時間がかかる。農場などでは、次の作業のためにシート材を早目に回収しなければならないことがあり、シート材を回収するためには、シート材固定具を一つ一つ引き抜いて回収しなければならず、このような作業は手間になる。
【０００７】
そこで、本発明の目的は、園芸用又は農業用シート材を容易に回収できるようにしたシート材固定具を提供することにある。
【課題を解決するための手段】
【０００８】
本発明の一実施形態のシート材固定具は、農業用又は園芸用シート材を固定するシート材固定具であって、頭部と、該頭部から下方に延び、下端部を先鋭状にした差込み部と、該頭部と該差込み部との間に、括れ状であり、該頭部を断つことができる切断部と、を備えたことを特徴とするものである。
【０００９】
このようにすることにより、頭部をハンマーなどで叩いて、頭部を断つことができ、それにより農業用又は園芸用シート材の固定が解除されるので容易に回収することができる。
【００１０】
上記形態のシート材固定具は、頭部の側面に、放物線状に垂れ下がり、下端部を先鋭状にした補助差込み部を備えることができる。
【００１１】
このようにすることにより、差込み部及び補助差込み部で土壌などに固定することができるため、固定時に固定具が回転しにくくなり土壌から抜けにくくすることができる。
【００１２】
上記形態のシート材固定具は、該差込み部の側面に、螺旋状に下り傾斜しながら外方に張り出す突起部を備えることができる。
【００１３】
このようにすることにより、固定時に突起部が抵抗になり、土壌から抜けにくくすることができる。
【００１４】
上記形態のシート材固定具は、生分解性樹脂から形成することができる。生分解性樹脂は土壌で分解されるため、シート材固定具を土壌上或いは土壌中に放置しても分解されて土壌を汚染することがない。
【図面の簡単な説明】
【００１５】
【図１】本発明の一実施形態のシート材固定具を示した斜視図である。
【図２】図１のシート材固定具を用いてシート材を固定する一使用例を示した斜視図である。
【図３】図１のシート材固定具を用いてシート材を固定した状態を示した図である。
【図４】図１のシート材固定具の頭部を断つ方法の一例を示した図である。
【図５】図１のシート材固定具の他の実施形態を示した正面図である。
【発明を実施するための形態】
【００１６】
以下、本発明の一実施形態のシート材固定具について説明する。
【００１７】
本発明の一実施形態のシート材固定具１は、図１〜図３に示すように、頭部２と、差込み部３と、切断部４とを備え、図２又は図３に示すように、農業用又は園芸用シート材５を固定するためのものである。
【００１８】
頭部２は、ハンマーなどで押圧し、固定具１を土壌中に埋もれさせるための部分であり、両端部は円板状にし、中間部分は横断面十字状とした略円柱状に形成してある。頭部２は、上端面を円形状の平坦面としてあり、ハンマーなどで叩きやすくしてある。
頭部２の側面には、放物線状（逆Ｊ字状）に垂れ下がり、下端部を先鋭状にした補助差込み部６が備えてあり、図３に示すように、固定具１を土壌に固定した際、土壌中に差し込まれ、固定具１が回転しにくいようにしてある。
【００１９】
差込み部３は、土壌中に差し込まれる部分であり、頭部２から下方に延び、頭部２と略同幅とした横断面十字状に形成してある。差込み部３は、下端部を先鋭状にして土壌に差し込みやすくしてある。
差込み部３の側面には、螺旋状に下り傾斜しながら外方に張り出す突起部７が備えてあり、差込み部３が土壌中にある際、固定具１を抜けにくくしてある。また、突起部７は、差込み部３を補強するためのリブの役割も果たす。
【００２０】
本実施形態では、突起部７は、差込み部３を一回りするように形成され、二箇所に設けてあるが、これに限定されるものではなく、突起部７が連続するように形成してもよい。
【００２１】
差込み部３には、適宜箇所に斜めＶ字状の切欠き部８が設けてあり、固定具１が土壌中から抜けにくくしてある。
差込み部３の長さは、適宜長さとすることができるが、図５に示す、他の実施形態のシート材固定具１Ａのような長さの差込み部３Ａにすることもでき、長くすることにより土壌中での固定具１Ａの固定力が高まる。
【００２２】
切断部４は、頭部２を断ち、もぎ取れるようにした部分であり、頭部２と差込み部３との間に設け、頭部２及び差込み部３よりも細幅にした括れ状にしてある。頭部２をハンマーなどで強く叩くことにより、切断部４が裁断され、頭部２がもぎとれて外れるようにしてある。
【００２３】
シート材固定具１は、土壌中で分解するポリ乳酸などの生分解性樹脂で形成するのが好ましい。
【００２４】
シート材固定具１は、例えば、図２又は図３に示すように、農場などにおいて畝などを覆う、農業用又は園芸用のシート材５を固定するために使用することができる。
シート材５を固定する場合、例えば、図２に示すように、シート材５の縁部沿いに設けた長孔状の孔部５ａに、差込み部３の下端部を挿し込み、頭部２をハンマーなどで叩いて打ち込み、土壌中に差込み部３を埋め込ませることにより、シート材５をシート材固定具１で固定することができる。この際、補助差込み部６は、図３に示すように、シート材５の外側に位置し、下端部が土壌中に埋もれるようにする。これにより、シート材固定具１が回転しにくくなり、土壌から抜けることを防ぐことができる。また、差込み部３には、突起部７が形成してあるため、一度差込み部３を土壌中に埋め込むと抵抗となり、抜けにくくなる。
【００２５】
シート材５を回収するには、図４（Ａ）に示すように、ハンマー９などで頭部２を強めに叩き、切断部４を折り、頭部２を差込み部３から切断させる。そして、図４（Ｂ）に示すように、頭部２が飛ばされ、差込み部３のみが地中に残るため、シート材５の固定が解除され、シート材５を回収することができる。
シート材固定具１を、生分解性樹脂で形成すれば、差込み部３が地中に残留しても分解されるため、土壌を汚染することがない。また、切断した頭部２も、分解されるため、回収せずに土壌上に放置しておいてもよい。
【００２６】
このように、シート材固定具１は、頭部２をハンマーなどで叩いて、頭部２を断つことができ、農業用又は園芸用シート材５を容易に回収することができるものである。
【００２７】
上記実施形態の構成態様は、本発明を限定するものとして挙げたものではなく、技術目的を共通にするかぎり変更は可能であり、本発明はそのような変更を含むものである。
【符号の説明】
【００２８】
１シート材固定具
２頭部
３差込み部
４切断部
５シート材
５ａ孔部
６補助差込み部
７突起部
８切欠き部
９ハンマー
【図１】
2018148814.tif 000003
【図２】
2018148814.tif 000004
【図３】
2018148814.tif 000005
【図４】
2018148814.tif 000006
【図５】
2018148814.tif 000007